(57)【要約】【課題】無線装置の内蔵アンテナとしても利用可能な電気回路部材の材料加工及び接続を簡素化する。【解決手段】アンテナ装置２は一体の平面状の可撓性材料からなる基板２０と屈曲部２１を備え、屈曲部２１は基板２０の一方の端部を含む部分が折り曲げられて形成される。基板２０の上面に接地導体２２を設け、その一端に給電点２３を設ける。基板２０の上面に第１導体パターン２５を設け、給電点２３に接続する。第１導体パターン２５は、基板２０の上面から屈曲部２１の内面に延伸される。屈曲部２１の外面に、第２導体パターン２６を設ける。屈曲部２１の斜線のハッチングを付した範囲の外面を基板２０の上面に当接させて圧着することにより第２導体パターン２６を第１導体パターン２５に接続して、屈曲部２１の両面に設けた導体パターンからなる複共振アンテナを形成する。【選択図】図４
2010093383.tif 000002
【特許請求の範囲】
【請求項１】
第１の面及び第２の面が表裏をなす平面状に形成され、前記第１の面に第１の導体パターンが設けられた基板と、
第３の面及び第４の面が表裏をなす平面状の可撓性材料が折り曲げられ又は丸められて形成されると共に前記第３の面に第２の導体パターンが設けられ、かつ、前記第３の面の一部が前記基板の第１の面に当接して前記第２の導体パターンが前記第１の導体パターンに接続されるように前記基板に設けられた屈曲部とを
備えたことを特徴とする電気回路部材。
【請求項２】
前記基板は前記屈曲部と一体の可撓性材料からなり、
前記屈曲部は前記基板の端部を含む部分が折り曲げられ又は丸められて形成され、
前記第３の面は前記基板の第１の面から連続する前記屈曲部の内面に相当する
ことを特徴とする請求項１に記載の電気回路部材。
【請求項３】
前記基板は前記屈曲部と一体の可撓性材料からなり、
前記屈曲部は前記基板の端部を含む部分が折り曲げられ又は丸められて形成され、
前記第３の面は前記基板の第２の面から連続する前記屈曲部の外面に相当する
ことを特徴とする請求項１に記載の電気回路部材。
【請求項４】
前記可撓性材料は熱可塑性樹脂からなることを特徴とする請求項１ないし請求項３のいずれか１項に記載の電気回路部材。
【請求項５】
第１の面及び第２の面が表裏をなす平面状に形成されると共に給電点が設けられ、かつ、前記給電点に接続された第１の導体パターンが前記第１の面に設けられた基板と、
第３の面及び第４の面をなす平面状の可撓性材料が折り曲げられ又は丸められて形成されると共に前記第３の面に第２の導体パターンが設けられ、かつ、前記第３の面の一部が前記基板の第１の面に当接して前記第２の導体パターンが前記第１の導体パターンに接続されるように前記基板に設けられた屈曲部とを
備えたことを特徴とするアンテナ装置。
【請求項６】
前記基板は前記屈曲部と一体の可撓性材料からなり、
前記屈曲部は前記基板の端部を含む部分が折り曲げられ又は丸められて形成され、
前記第３の面は前記基板の第１の面から連続する前記屈曲部の内面に相当する
ことを特徴とする請求項５に記載のアンテナ装置。
【請求項７】
前記基板は前記屈曲部と一体の可撓性材料からなり、
前記屈曲部は前記基板の端部を含む部分が折り曲げられ又は丸められて形成され、
前記第３の面は前記基板の第２の面から連続する前記屈曲部の外面に相当する
ことを特徴とする請求項５に記載のアンテナ装置。
【請求項８】
前記可撓性材料は熱可塑性樹脂からなることを特徴とする請求項５ないし請求項７のいずれか１項に記載のアンテナ装置。
【請求項９】
第１の面及び第２の面が表裏をなす平面状に形成されると共に前記第１の面に第１の導体パターンが設けられた基板に、第３の面及び第４の面が表裏をなす平面状の可撓性材料からなると共に前記第３の面に第２の導体パターンが設けられた屈曲部を設け、
前記屈曲部を折り曲げ又は丸めることにより、前記第３の面の一部を前記第１の面に当接させ、
前記第２の導体パターンを前記第１の導体パターンに接続する
ことを特徴とする電気回路部材の製造方法。
【請求項１０】
前記基板は前記屈曲部と一体の可撓性材料からなる場合において、
前記基板の端部を含む部分を折り曲げ又は丸めて前記屈曲部を形成し、
前記第３の面は前記基板の第１の面から連続する前記屈曲部の内面に相当する
ことを特徴とする請求項９に記載の電気回路部材の製造方法。
【請求項１１】
前記基板は前記屈曲部と一体の可撓性材料からなる場合において、
前記基板の端部を含む部分を折り曲げ又は丸めて前記屈曲部を形成し、
前記第３の面は前記基板の第２の面から連続する前記屈曲部の外面に相当する
ことを特徴とする請求項９に記載の電気回路部材の製造方法。
【発明の詳細な説明】
【技術分野】
【０００１】
本発明は電気回路部材、アンテナ装置及び電気回路部材の製造方法に係り、特に可撓性材料を用いて形成された電気回路部材及び該電気回路部材を用いて構成されたアンテナ装置並びに該電気回路部材の製造方法に関する。
【背景技術】
【０００２】
携帯電話機等の無線装置用のアンテナは、かつては筐体の外部に延伸されるホイップ型のようなタイプが中心であったが、近年は筐体に内蔵されるタイプがほとんどである。内蔵アンテナの製造又は取り付け方法としては、アンテナ素子を構成する板金又はチップアンテナの基板へのはんだ付け、基板の導体パターンのアンテナ素子としての利用、表面にアンテナ素子を形成した非導電性部材の基板又は筐体への取り付け、アンテナ素子を構成する導体パターンの筐体へのめっき等の技術が知られている。
【０００３】
それらの従来技術のうち、アンテナ素子を実装基板に一体的に形成すると共に屈曲部を設けて、基板のなす面に直交する向きの偏波に対する利得の向上を図る技術が知られている（例えば、特許文献１参照。）。
【０００４】
上記の特許文献１によれば、熱可塑性樹脂からなる絶縁基材を介して複数の導体パターンが積層されて構成された多層回路基板にマザーボード部とアンテナ部を設け、上記のマザーボード部とアンテナ部の導体パターンの積層数を異なるものとし、アンテナ部はマザーボード部から延出されて屈曲部を有する形に構成される。
【特許文献１】特開２００４−１１１５６３号公報（第５、６ページ、図２）
【発明の開示】
【発明が解決しようとする課題】
【０００５】
上記の特許文献１に開示されたアンテナの構造は、マザーボード部を構成する多層回路基板の一部の層をマザーボード部から延出させると共に屈曲させてアンテナ部を構成するもので、部分的に層数の異なる特殊な多層回路基板を必要とする。また、層間の接続はビアホールを介して行うことが前提されている。これらの点から、基板のコスト低減が難しいという問題があった。
【０００６】
本発明は上記問題を解決するためになされたもので、内蔵アンテナとしても利用可能な電気回路部材の材料加工及び接続を簡素化することを目的とする。
【課題を解決するための手段】
【０００７】
上記目的を達成するために、本発明の電気回路部材は、第１の面及び第２の面が表裏をなす平面状に形成され、前記第１の面に第１の導体パターンが設けられた基板と、第３の面及び第４の面が表裏をなす平面状の可撓性材料が折り曲げられ又は丸められて形成されると共に前記第３の面に第２の導体パターンが設けられ、かつ、前記第３の面の一部が前記基板の第１の面に当接して前記第２の導体パターンが前記第１の導体パターンに接続されるように前記基板に設けられた屈曲部とを備えたことを特徴とする。
【０００８】
また、本発明のアンテナ装置は,第１の面及び第２の面が表裏をなす平面状に形成されると共に給電点が設けられ、かつ、前記給電点に接続された第１の導体パターンが前記表面に設けられた基板と、第３の面及び第４の面をなす平面状の可撓性材料が折り曲げられ又は丸められて形成されると共に前記第３の面に第２の導体パターンが設けられ、かつ、前記第３の面の一部が前記基板の第１の面に当接して前記第２の導体パターンが前記第１の導体パターンに接続されるように前記基板に設けられた屈曲部とを備えたことを特徴とする。
【０００９】
さらに、本発明の電気回路部材の製造方法は、第１の面及び第２の面が表裏をなす平面状に形成されると共に前記第１の面に第１の導体パターンが設けられた基板に、第３の面及び第４の面が表裏をなす平面状の可撓性材料からなると共に前記第３の面に第２の導体パターンが設けられた屈曲部を設け、前記屈曲部を折り曲げ又は丸めることにより、前記第３の面の一部を前記第１の面に当接させ、前記第２の導体パターンを前記第１の導体パターンに接続することを特徴とする。
【発明の効果】
【００１０】
本発明によれば、基板に平面状の可撓性材料からなる屈曲部を設けて面どうしの当接箇所において導体パターンどうしを接続することにより、内蔵アンテナとしても利用可能な電気回路部材の材料加工及び接続を簡素化することができる。
【発明を実施するための最良の形態】
【００１１】
以下、図面を参照して本発明の実施例を説明する。なお以下の各図を参照しながら上下左右又は水平、垂直（鉛直）をいうときは、特に断らない限り、図が表された紙面における上下左右又は水平、垂直（鉛直）を意味するものとする。また、各図の間で共通の符号は、同一の構成を表すものとする。
【実施例１】
【００１２】
以下、図１ないし図３を参照して、本発明の実施例１を説明する。図１及び図２は、それぞれ、本発明の実施例１に係るアンテナ装置１の構成を表す斜視図及び展開図である。アンテナ装置１は、基板１０と屈曲部１１を備えている。基板１０と屈曲部１１は一体の平面状の可撓性材料からなり、そのうち屈曲部１１は、基板１０の図２における上側の端部を含む部分が４本の水平線（破線）の箇所で折り曲げられて形成されたものである。
【００１３】
図２に示すように、基板１０及び屈曲部１１はそれぞれ最下段の水平線（破線）より下の部分及び上の部分である。上記の可撓性材料は、例えば熱可塑性樹脂（又は液晶ポリマー）から選ぶことができる。
【００１４】
図２の紙面を基準とする基板１０の手前側の面を上面、その反対の図２において見えない側の面を下面とする。基板１０の上面には、接地導体１２が設けられている（図示した接地導体１２の形状は、一例である。）。接地導体１２の一端に、基板１０に設けられた図示しない無線回路に接続された給電点１３が設けられている。基板１０の上面に第１導体パターン１５が設けられ、給電点１３に接続されている。
【００１５】
図２の紙面を基準とする屈曲部１１の手前側の面は、図１において屈曲部１１の内側を向く面であり、これを屈曲部１１の内面とする。屈曲部１１の内面は、図１、図２から明らかなように、基板１０の上面から連続する面である。第１導体パターン１５は、基板１０の上面から屈曲部１１の内面に延伸され、先端が開放されている。
【００１６】
屈曲部１１の内面と反対の図２において見えない側の面は、図１において屈曲部１１の外側を向く面であり、これを屈曲部１１の外面とする。屈曲部１１の外面は、図１、図２から明らかなように、基板１０の下面から連続する面である。
【００１７】
屈曲部１１のうち図２の最上段の水平線（破線）より上の範囲（図１、図２において斜線のハッチングを付す。）は、図１に示すように屈曲部１１に囲まれる領域の外側に向かって折り曲げられている。屈曲部１１の当該ハッチングを付した範囲の内面は、基板１０の上面に当接している。
【００１８】
屈曲部１１の内面に、第２導体パターン１６が設けられている。第２導体パターン１６は、図１における屈曲部１１の手前側の内面（見えない側の面）に点線で表されている。図２では屈曲部１１の内面が見える側の面に当るため、第２導体パターン１６を実線で表している。
【００１９】
第２導体パターン１６のうち屈曲部１１の斜線のハッチングを付した範囲に属する部分は、図２に示すように、屈曲部１１を４本の水平線（破線）の箇所で折り曲げることによって第１導体パターン１５の給電点１３近傍の箇所に接続可能な位置にくる。したがって、屈曲部１１の斜線のハッチングを付した範囲を基板１０の上面に例えば圧着することにより、第２導体パターン１６の一端を第１導体パターン１５に接続することができる。第２導体パターン１６の他端は、開放されている。
【００２０】
図３は、上記の第２導体パターン１６と第１導体パターン１５の接続を、図１又は図２における右側面から見て表す図である。図３は、楕円（点線）で囲んで示した箇所において、屈曲部１１の図１又は図２において斜線のハッチングを付した範囲が屈曲部１１に囲まれる領域の外側に向かって折り曲げられ、第１導体パターン１５と第２導体パターン１６が接続された状態を表している。
【００２１】
以上に説明したように、アンテナ装置１は、第１導体パターン１５からなる先端開放のアンテナ素子が給電点１３に接続され、第２導体パターン１６からなる先端開放のアンテナ素子が給電点１３の直近の箇所から分岐した構成をとる。すなわち、給電点１３を共通にする複共振アンテナが構成される。
【００２２】
基板１０及び屈曲部１１を構成する基板材料は多層でも単層でもよいが、可撓性の面からは層数の少ない方が有利である。第１導体パターン１５と第２導体パターン１６の接続はビアホールを利用した層間接続を要せず、当接面において圧着するという簡素な方法で実現することができる。このような基板１０及び屈曲部１１の構成及び導体パターン間の接続は、アンテナへの応用に限らず、基板を部分的に折り曲げたり丸めたりして構成した電気回路部材への素子の配置と素子間接続に広く応用することができる。
【００２３】
基板１０に薄い材料を使用した場合、折り曲げ又は丸めて異なる部分どうしを接合することにより形状を安定させることができる。従来技術に比べて工程が簡素化されるので、低コスト化を実現することができる。
【００２４】
本発明の実施例１によれば、基板を部分的に折り曲げたり丸めたりして屈曲部を構成した電気回路部材の表面に設けた導体パターンを、基板と屈曲部の当接箇所において圧着等を用いて接続することにより、材料加工及び接続を簡素化して内蔵アンテナとしても利用可能な電気回路部材を提供することができる。
【実施例２】
【００２５】
以下、図４ないし図６を参照して、本発明の実施例２を説明する。図４及び図５は、それぞれ、本発明の実施例２に係るアンテナ装置２の構成を表す斜視図及び展開図である。アンテナ装置２は、基板２０と屈曲部２１を備えている。基板２０と屈曲部２１は一体の平面状の可撓性材料からなり、そのうち屈曲部２１は、基板２０の図５における上側の端部を含む部分が４本の水平線（破線）の箇所で折り曲げられて形成されたものである。
【００２６】
図５に示すように、基板２０及び屈曲部２１はそれぞれ最下段の水平線（破線）より下の部分及び上の部分である。上記の可撓性材料は、実施例１と同様に選ぶことができる。
【００２７】
図５の紙面を基準とする基板２０の手前側の面を上面、その反対の図５において見えない側の面を下面とする。基板２０の上面には、接地導体２２が設けられている（図示した接地導体２２の形状は、一例である。）。接地導体２２の一端に、基板２０に設けられた図示しない無線回路に接続された給電点２３が設けられている。基板２０の上面に第１導体パターン２５が設けられ、給電点２３に接続されている。
【００２８】
図５の紙面を基準とする屈曲部２１の手前側の面は、図４において屈曲部２１の内側を向く面であり、これを屈曲部２１の内面とする。屈曲部２１の内面は、図４、図５から明らかなように、基板２０の上面から連続する面である。第１導体パターン２５は、基板２０の上面から屈曲部２１の内面に延伸され、先端が開放されている。
【００２９】
屈曲部２１の内面と反対の図５において見えない側の面は、図４において屈曲部２１の外側を向く面であり、これを屈曲部２１の外面とする。屈曲部２１の外面は、図４、図５から明らかなように、基板２０の下面から連続する面である。
【００３０】
屈曲部２１のうち図５の最上段の水平線（破線）より上の範囲（図４、図５において斜線のハッチングを付す。）は、図４に示すように屈曲部２１に囲まれる領域の内側に向かって折り曲げられている。屈曲部２１の当該ハッチングを付した範囲の外面は、基板２０の上面に当接している。
【００３１】
屈曲部２１の外面に、第２導体パターン２６が設けられている。第２導体パターン２６は、図４における屈曲部２１の手前側の外面及び上側の外面（いずれも見える側の面）に実線で表されている。図５では屈曲部２１の外面が見えない側の面に当るため、第２導体パターン２６を点線で表している。
【００３２】
第２導体パターン２６のうち屈曲部２１の斜線のハッチングを付した範囲に属する部分は、図５に示すように、屈曲部２１を４本の水平線（破線）の箇所で折り曲げることによって第１導体パターン２５の給電点２３近傍の箇所に接続可能な位置にくる。したがって、屈曲部２１の斜線のハッチングを付した範囲を基板２０の上面に例えば圧着することにより、第２導体パターン２６の一端を第１導体パターン２５に接続することができる。第２導体パターン２６の他端は、開放されている。
【００３３】
図６は、上記の第２導体パターン２６と第１導体パターン２５の接続を、図４又は図５における右側面から見て表す図である。図６は、楕円（点線）で囲んで示した箇所において、屈曲部２１の図４又は図５において斜線のハッチングを付した範囲が屈曲部２１に囲まれる領域の内側に向かって折り曲げられ、第１導体パターン２５と第２導体パターン２６が接続された状態を表している。
【００３４】
以上に説明したように、アンテナ装置２は、第１導体パターン２５からなる先端開放のアンテナ素子が給電点２３に接続され、第２導体パターン２６からなる先端開放のアンテナ素子が給電点２３の近傍において分岐した構成をとる。すなわち、給電点２３を共通にする複共振アンテナが構成される。
【００３５】
以上に説明したように、実施例２は第１導体パターン２５と第２導体パターン２６の接続にビアホールを利用した層間接続を要せず、当接面において圧着するという簡素な方法で実現することができるという、実施例１と同じ特徴を有している。これに加え、実施例２は屈曲部２１の外面に設けた導体パターン２６を利用することができるので、導体パターンの配線の自由度を高めることができる。
【００３６】
本発明の実施例２によれば、導体パターンの配線の自由度を高めることができるという付加的な効果が得られる。
【実施例３】
【００３７】
以下、図７及び図８を参照して、本発明の実施例３を説明する。図７及び図８は、それぞれ、本発明の実施例３に係るアンテナ装置３の構成を表す斜視図及び展開図である。アンテナ装置３は、基板３０と屈曲部３１を備えている。基板３０と屈曲部３１は一体の平面状の可撓性材料からなり、そのうち屈曲部３１は、基板３０の図８における上側の端部を含む部分が４本の垂直線（破線）の箇所で折り曲げられて形成されたものである。
【００３８】
図８に示すように、基板３０及び屈曲部３１はそれぞれ最も左寄りの垂直線（破線）より左の部分及び右の部分である。上記の可撓性材料は、実施例１と同様に選ぶことができる。
【００３９】
図８の紙面を基準とする基板３０の手前側の面を上面、その反対の図８において見えない側の面を下面とする。基板３０の上面には、接地導体３２が設けられている（図示した接地導体３２の形状は、一例である。）。接地導体３２の一端に、基板３０に設けられた図示しない無線回路に接続された給電点３３が設けられている。基板３０の上面に左右に分岐した第１導体パターン３５が設けられ、給電点３３に接続されている。
【００４０】
図８の紙面を基準とする屈曲部３１の手前側の面は、図７において屈曲部３１の内側を向く面であり、これを屈曲部３１の内面とする。屈曲部３１の内面は、図７、図８から明らかなように、基板３０の上面から連続する面である。第１導体パターン３５は、右向きの分岐が基板３０の上面から屈曲部３１の内面に延伸されて先端が開放されている。また、第１導体パターン３５の左向きの分岐は、基板３０の左端まで延伸されている。
【００４１】
屈曲部３１の内面と反対の図８において見えない側の面は、図７において屈曲部３１の外側を向く面であり、これを屈曲部３１の外面とする。屈曲部３１の外面は、図７、図８から明らかなように、基板３０の下面から連続する面である。
【００４２】
屈曲部３１のうち図８の最も右寄りの垂直線（破線）より右の範囲（図７、図８において斜線のハッチングを付す。）は、図７に示すように屈曲部３１に囲まれる領域の内側に向かって折り曲げられている。屈曲部３１の当該ハッチングを付した範囲の外面は、基板３０の上面に当接している。
【００４３】
屈曲部３１の外面に、第２導体パターン３６が設けられている。第２導体パターン３６は、図７における屈曲部３１の左側の外面（見えない側の面）及び上側の外面（見える側の面）にそれぞれ点線と実線で表されている。図８では屈曲部２１の外面が見えない側の面に当るため、第２導体パターン３６を点線で表している。
【００４４】
第２導体パターン３６のうち屈曲部３１の斜線のハッチングを付した範囲に属する部分は、図８に示すように、屈曲部３１を４本の垂直線（破線）の箇所で折り曲げることによって第１導体パターン３５の基板３０左端近傍の箇所に接続可能な位置にくる。したがって、屈曲部３１の斜線のハッチングを付した範囲を基板３０の上面に例えば圧着することにより、第２導体パターン３６を第１導体パターン３５に接続することができる。このように第１導体パターン３５の一部と第２導体パターン３６を連結して、所要の線路長を確保することができる。
【００４５】
以上に説明したように、アンテナ装置３は、第１導体パターン３５の図８における右向きに分岐した部分からなる先端開放のアンテナ素子と、第１導体パターン３５の図８における左向きに分岐した部分及び第２導体パターン３６からなる先端開放のアンテナ素子が共に給電点３３から給電される構成をとる。すなわち、給電点３３を共通にする複共振アンテナが構成される。
【００４６】
以上に説明したように、実施例３は従来技術に比べ工程が簡素化されるという実施例１と同じ特徴と、屈曲部の内面と外面の両方に導体パターンを設けることができるという実施例２と同じ特徴を有している。これらに加え、実施例３は基板と屈曲部の導体パターンどうしを連結して所要の線路長を確保することができる。
【００４７】
本発明の実施例３によれば、基板と屈曲部の導体パターンどうしを連結して所要の線路長を確保することができるという付加的な効果が得られる。
【実施例４】
【００４８】
以下、図９ないし図１３を参照して、本発明の実施例４を説明する。実施例４は、既に説明した実施例１ないし実施例３の複数の変形例からなる。図９は、実施例４に含む第１の変形例に係るアンテナ装置４の構成を表す斜視図である。アンテナ装置４は、基板４０と屈曲部４１を備えている。基板４０と屈曲部４１は一体の平面状の可撓性材料からなり、そのうち屈曲部４１は、実施例３の図８に示したのと同様に形成された基板４０の一方の端部を含む部分が図７、図８に示したのと同様に折り曲げられて形成されたものである。
【００４９】
基板４０と屈曲部４１の区分け、基板４０の上面と下面の定義、屈曲部４１の内面と外面の定義は、いずれも実施例３に同じとする。ただし屈曲部４１の図９において斜線のハッチングを付した範囲（実施例３の屈曲部３１の図７、図８において斜線のハッチングを付した範囲に対応する。）は、実施例３の場合とは異なり屈曲部３１に囲まれる領域の外側に向かって折り曲げられている。したがって、屈曲部４１の当該ハッチングを付した範囲の内面が基板４０の上面に当接している。
【００５０】
基板４０の上面には、接地導体４２が設けられている（図示した接地導体４２の形状は、一例である。）。接地導体４２の一端に、基板４０に設けられた図示しない無線回路に接続された給電点４３が設けられている。基板４０の上面に第１導体パターン４５が設けられ、給電点４３に接続されている。なお、図９に示すように、全部で３本の第１導体パターン４５が基板４０の上面に設けられている。
【００５１】
屈曲部４１の内面に、全部で３本の第２導体パターン４６が設けられている。第２導体パターン４６は、図９における屈曲部４１の左右の内面及び上側の内面の見える範囲と見えない範囲にそれぞれ実線と点線で表されている。
【００５２】
図９の右側に位置する基板４０と屈曲部４１の境界の箇所において、基板４０側の第１導体パターン４５は屈曲部４１側に延伸されて第２導体パターン４６になる。一方、第２導体パターン４６のうち屈曲部４１の斜線のハッチングを付した範囲に属する部分は、図９に示すように屈曲部４１が折り曲げられたことにより、第１導体パターン４５の基板４０左端近傍の箇所に接続可能な位置にくる。したがって、屈曲部４１の斜線のハッチングを付した範囲を基板４０の上面に例えば圧着することにより、第２導体パターン４６を第１導体パターン４５に接続することができる。
【００５３】
その結果、第１導体パターン４５と第２導体パターン４６は全体で１本のスパイラル状の線路を形成し、給電点４３から給電されることによってヘリカルアンテナの一種として動作することができる。
【００５４】
図１０は、実施例４に含む第２の変形例に係るアンテナ装置５の構成を表す斜視図である。アンテナ装置５は、基板５０と屈曲部５１を備えている。基板５０と屈曲部５１は一体の平面状の可撓性材料からなり、そのうち屈曲部５１は、実施例３の図８に示したのと同様に形成された基板５０の一方の端部を含む部分が図７、図８に示したのと同様に折り曲げられて形成されたものである。
【００５５】
基板５０と屈曲部５１の区分け、基板５０の上面と下面の定義、屈曲部５１の内面と外面の定義は、いずれも実施例３に同じとする。また、屈曲部５１の図１０において斜線のハッチングを付した範囲（実施例３の屈曲部３１の図７、図８において斜線のハッチングを付した範囲に対応する。）は、実施例３の場合と同じく屈曲部５１に囲まれる領域の内側に向かって折り曲げられている。したがって、屈曲部５１の当該ハッチングを付した範囲の外面が基板５０の上面に当接している。
【００５６】
基板５０の上面には、接地導体５２が設けられている（図示した接地導体５２の形状は、一例である。）。接地導体５２の一端に、基板５０に設けられた図示しない無線回路に接続された給電点５３が設けられている。基板５０の上面に第１導体パターン５５が設けられ、給電点５３に接続されている。
【００５７】
図１０に示すように、基板５０の屈曲部５１に覆われる形になる範囲の一部が、上方に突出した形に形成されている。第１導体パターン５５の一部は、上記の基板５０の突出した部分に設けられている。このように基板５０や屈曲部５１をなす面の突出等の変形により、導体パターンの引き回しの選択肢を広げることができる。
【００５８】
図１１は、実施例４に含む第３の変形例に係るアンテナ装置６の構成を表す斜視図である。アンテナ装置６は、基板６０と屈曲部６１を備えている。基板６０と屈曲部６１は一体の平面状の可撓性材料からなり、そのうち屈曲部６１は、実施例２の図５に示した形状に類似して形成された基板６０の一方の端部を含む部分が図４に示した形状に類似して折り曲げられて形成されたものである。
【００５９】
基板６０と屈曲部６１の区分け、基板６０の上面と下面の定義、屈曲部６１の内面と外面の定義は、いずれも実施例２に同じとする。ただし、屈曲部６０の図１１における手前側の基板６２に交差する面は、中央部分が切り欠かれている。屈曲部６０の切り欠かれた部分の両側の斜線のハッチングを付した範囲は、実施例２の場合と同じく屈曲部６１に囲まれる領域の内側に向かって折り曲げられている。したがって、屈曲部６１の当該ハッチングを付した範囲の外面が基板６０の上面に当接している。
【００６０】
基板６０の上面には、接地導体６２が設けられている（図示した接地導体６２の形状は、一例である。）。接地導体６２の一端に、基板６０に設けられた図示しない無線回路に接続された給電点６３が設けられている。基板６０の上面に第１導体パターン６５が設けられ、給電点６３に接続されている。第１導体パターン６５は、基板６０の上面から屈曲部６１の内面に延伸され、先端が開放されている。
【００６１】
図１１に示すように、屈曲部６０の切り欠かれた部分の片側に同軸ケーブルが通され、当該同軸ケーブルは給電点６３に接続されている。屈曲部６０は、このように一部を変形してケーブル支持用のガイド等に応用することができる。
【００６２】
図１２は、実施例４に含む第４の変形例に係るアンテナ装置７の構成を表す斜視図である。アンテナ装置７は、基板７０と屈曲部７１を備えている。基板７０と屈曲部７１は一体の平面状の可撓性材料からなり、そのうち屈曲部７１は、実施例１の図２に示した形状に類似して形成された基板７０の一方の端部を含む部分が図１に示した形状に類似して折り曲げられて形成されたものである。
【００６３】
基板７０と屈曲部７１の区分け、基板７０の上面と下面の定義、屈曲部７１の内面と外面の定義は、いずれも実施例１に同じとする。ただし、屈曲部７０の図１２における上側の基板６２にほぼ平行する面は、中央部分（垂直線のハッチングを付した部分）が切り欠かれている。屈曲部７１の図１２において斜線のハッチングを付した範囲（実施例１の屈曲部１１の図１、図２において斜線のハッチングを付した範囲に対応する。）は、実施例１の場合と同じく屈曲部７１に囲まれる領域の外側に向かって折り曲げられている。したがって、屈曲部７１の当該斜線のハッチングを付した範囲の内面が基板７０の上面に当接している。
【００６４】
基板７０の上面には、接地導体７２が設けられている（図示した接地導体７２の形状は、一例である。）。接地導体７２の一端に、基板７０に設けられた図示しない無線回路に接続された給電点７３が設けられている。基板７０の上面に第１導体パターン７５が設けられ、給電点７３に接続されている。
【００６５】
図１２に示すように、屈曲部７０の切り欠かれた部分にチップマウンタを通して、基板７０の上面にチップ部品を実装することができる。屈曲部７０は、このように一部を変形して基板７０への部品搭載の便宜を向上させることができる。
【００６６】
図１３は、以上に説明した実施例１ないし実施例４における屈曲部又は基板の他の変形を、図１等の斜視図における右側面から（図３又は図６と同様の向きに）見て例示する図である。図１３（ａ）は、屈曲部が丸められて形成された例を表す。図１３（ｂ）は、屈曲部が台形に形成された例を表す。図１３（ｃ）は、屈曲部が三角形に形成された例を表す。図１３（ｄ）は、屈曲部が多角形に形成された例を表す。図１３（ｅ）は、屈曲部が基板から連続的に丸められて形成された例を表す。
【００６７】
図１３（ｆ）は、基板の屈曲部に覆われる形になる範囲の一部が下方に突出した形に形成されて筐体の内側の面に当接し、基板の他の部分及び屈曲部が筐体から離間した例を表す。この場合、屈曲部に設けた導体パターンを筐体から遠ざけて、筐体の誘電体材料による波長短縮や誘電体損の影響を抑える効果がある。
【００６８】
本発明の実施例４によれば、基板又は屈曲部の各種の変形により、本発明の応用範囲や特徴を広げる効果が得られる。
【００６９】
以上の実施例１ないし実施例４においては、屈曲部が基板と一体の平面状の可撓性材料からなり、基板の一方の端部を含む部分が折り曲げ又は丸められて形成されたものとした。屈曲部はこれに限らず、基板とは別個の立体状に形成されて基板の上面に取り付けられるとしてもよい。その場合、屈曲部の材料は基板と同一でもよく、異なってもよい。また、以上の各実施例の説明において、基板、屈曲部の形状、構成、配置、導体パターンの配置、接続等は例示であり、本発明の要旨を逸脱しない範囲でさまざまな変形が可能である。
【図面の簡単な説明】
【００７０】
【図１】本発明の実施例１に係るアンテナ装置の構成を表す斜視図。
【図２】実施例１に係るアンテナ装置の構成を表す展開図。
【図３】実施例１に係るアンテナ装置の第２導体パターンと第１導体パターンの接続を側面から見て表す図。
【図４】本発明の実施例２に係るアンテナ装置の構成を表す斜視図。
【図５】実施例２に係るアンテナ装置の構成を表す展開図。
【図６】実施例２に係るアンテナ装置の第２導体パターンと第１導体パターンの接続を側面から見て表す図。
【図７】本発明の実施例３に係るアンテナ装置の構成を表す斜視図。
【図８】実施例３に係るアンテナ装置の構成を表す展開図。
【図９】本発明の実施例４に含む第１の変形例に係るアンテナ装置の構成を表す斜視図。
【図１０】実施例４に含む第２の変形例に係るアンテナ装置の構成を表す斜視図。
【図１１】実施例４に含む第３の変形例に係るアンテナ装置の構成を表す斜視図。
【図１２】実施例４に含む第４の変形例に係るアンテナ装置の構成を表す斜視図。
【図１３】（ａ）ないし（ｆ）は実施例１ないし実施例４における屈曲部又は基板の他の変形を側面から見て例示する図。
【符号の説明】
【００７１】
１、２、３、４、５、６、７  アンテナ装置
１０、２０、３０、４０、５０、６０、７０  基板
１１、２１、３１、４１、５１、６１、７１  屈曲部
１２、２２、３２、４２、５２、６２、７２  接地導体
１３、２３、３３、４３、５３、６３、７３  給電点
１５、２５、３５、４５、５５、６５、７５  第１導体パターン
１６、２６、３６、４６  第２導体パターン
【図１】
2010093383.tif 000003
【図２】
2010093383.tif 000004
【図３】
2010093383.tif 000005
【図４】
2010093383.tif 000006
【図５】
2010093383.tif 000007
【図６】
2010093383.tif 000008
【図７】
2010093383.tif 000009
【図８】
2010093383.tif 000010
【図９】
2010093383.tif 000011
【図１０】
2010093383.tif 000012
【図１１】
2010093383.tif 000013
【図１２】
2010093383.tif 000014
【図１３】
2010093383.tif 000015